(57)【特許請求の範囲】
【請求項１】
開口部を有するカップ部と、
前記カップ部の前記開口部に連結される筒状のアタッチメントと、を備え、
前記開口部に前記アタッチメントが連結された状態では前記開口部に前記アタッチメントが連結されていない状態よりも容量が大きく、
前記カップ部は、前記アタッチメントを固定する固定部を備え、
前記アタッチメントが前記固定部に固定された状態が、前記開口部に前記アタッチメントが連結された状態であり、
前記カップ部は、一方に前記開口部と、他方に底部と、を備え、
前記固定部は、前記カップ部の外周面の開口部側に位置し、
前記アタッチメントは、前記カップ部の外周面に沿って、前記カップ部の前記開口部側と底部側にそれぞれ移動可能であり、
前記アタッチメントが、前記開口部側に移動すると、前記固定部に固定され、
前記カップ部の前記外周面は、前記外周面より突出したストッパを、前記固定部よりも前記底部側の位置に備え、
前記アタッチメントが、前記底部側に移動すると、前記ストッパに突き当たる計量カップ。
【請求項２】
前記カップ部は、前記開口部の断面積よりも前記底部側の断面積の方が小さい形状であり、
前記開口部に前記アタッチメントが連結されていない状態では、前記アタッチメントと前記カップ部との間に隙間が形成される請求項１に記載の計量カップ。
【請求項３】
前記カップ部の全高は、前記アタッチメントの全高よりも高い請求項１または請求項２に記載の計量カップ。
【請求項４】
前記カップ部は、外周面に前記ストッパの位置から前記開口部側に延出されたリブを有する請求項１〜請求項３のいずれか１項に記載の計量カップ。
【請求項５】
前記カップ部の前記外周面は、前記開口部に前記アタッチメントが連結されていない状態における容量を示す第１の表示部を備え、
前記第１の表示部は、前記アタッチメントが前記ストッパに突き当たる位置では、前記アタッチメントに覆われていない請求項１〜請求項３のいずれか１項に記載の計量カップ。
【請求項６】
前記アタッチメントの外周面は、前記開口部に前記アタッチメントが連結されている状態における容量を示す第２の表示部を備える請求項５に記載の計量カップ。
【請求項７】
前記開口部に前記アタッチメントが連結されている状態では、前記第１の表示部の少なくとも一部が、前記アタッチメントに覆われている請求項５または請求項６に記載の計量カップ。
【請求項８】
前記開口部に前記アタッチメントが連結された状態の容量は１合であり、前記開口部に前記アタッチメントを連結されていない状態の容量は０．５合である請求項１〜請求項７のいずれか１項に記載の計量カップ。
【請求項９】
前記固定部は、前記アタッチメントを固定する第１の固定部と、前記第１の固定部が前記アタッチメントを固定する位置よりも前記底面側の位置で前記アタッチメントを固定する第２の固定部と、を備え、
前記アタッチメントが前記第１の固定部に固定された状態では前記アタッチメントが前記第２の固定部に固定された状態よりも容量が大きい請求項１〜請求項８のいずれか１項に記載の計量カップ。
【発明の詳細な説明】
【技術分野】
【０００１】
本発明は、炊飯時の米量の計量に用いる計量カップに関する。
【背景技術】
【０００２】
炊飯器で米をおいしく炊くためには、米量と水量とを正確に量ることが重要な要素のひとつである。たとえば、特許文献１に開示された技術にあるような米量と水量との比率を正確に量るための技術がある。
【０００３】
一方、炊飯器での１回の炊飯量は１合単位で設定するのが一般的であった。しかし、近年は核家族化が進み、１回の炊飯量も減少傾向にある。このため、０．５合単位で炊飯量を設定するニーズが高まっている。たとえば、特許文献２に開示された技術にあるような、０．５合単位で加水量を見やすく正確に計ることのできる内鍋を備えた炊飯器がある。
【先行技術文献】
【特許文献】
【０００４】
【特許文献１】特許第５６３４０５０号公報
【特許文献２】特許第５５１７５８１号公報
【発明の概要】
【発明が解決しようとする課題】
【０００５】
米量を計量するためには、重量で計量する方法が比較的簡便で正確である。しかし習慣的には炊飯器の内鍋を米の保管場所まで運び、計量カップで米量を計量し、内鍋に必要量を移すのが一般的である。
【０００６】
計量カップで米量を計量する場合に、米の表面を平らにならして計量する必要があるが、平らにならすために米をゆすってしまうと必要以上に米が計量カップに入る。その結果、正確な計量ができない場合がある。１合（約１８０ｍｌ）を１合の容量の計量カップで計量する場合は、すりきり１杯にすることで計量すれば正確に計量できる。なお、すりきり１杯とは計量カップの上端部から突出した分の米を、計量カップをゆすることなく、上端部に合せてほぼ平ら（水平）に均した状態のことである。しかし、１合の容量の計量カップで０．５合を計量する場合には計量カップの上端ですりきり１杯にすることができず、平らに均すことが困難であり、正確に０．５合の米量を計量することが困難であった。
【０００７】
本発明は、上記課題を解決するためのものであり、１つの計量カップで異なる米の量を正確に計量できる計量カップを得ることを目的とする。
【課題を解決するための手段】
【０００８】
本発明に係る計量カップは、開口部を有するカップ部と、前記カップ部の前記開口部に連結される筒状のアタッチメントと、を備え、前記開口部に前記アタッチメントが連結された状態では前記開口部に前記アタッチメントが連結されていない状態よりも容量が大きく、前記カップ部は、前記アタッチメントを固定する固定部を備え、前記アタッチメントが前記固定部に固定された状態が、前記開口部に前記アタッチメントが連結された状態であり、前記カップ部は、一方に前記開口部と、他方に底部と、を備え、前記固定部は、前記カップ部の外周面の開口部側に位置し、前記アタッチメントは、前記カップ部の外周面に沿って、前記カップ部の前記開口部側と底部側にそれぞれ移動可能であり、前記アタッチメントが、前記開口部側に移動すると、前記固定部に固定され、前記カップ部の前記外周面は、前記外周面より突出したストッパを、前記固定部よりも前記底部側の位置に備え、前記アタッチメントが、前記底部側に移動すると、前記ストッパに突き当たるものである。
【発明の効果】
【０００９】
開口部にアタッチメントが連結されていない状態と、開口部にアタッチメントが連結された状態で容量が異なるため、１つの計量カップで異なる米の量を正確に計量することができる。
【図面の簡単な説明】
【００１０】
【図１】本発明の実施の形態１に係るアタッチメントがカップ部の開口部に連結された状態の計量カップを示す正面図である。
【図２】本発明の実施の形態１に係るアタッチメントがカップ部の開口部に連結された状態の計量カップを示す斜視図である。
【図３】本発明の実施の形態１に係るアタッチメントがカップ部の開口部に連結された状態の計量カップを示す一部を切除した斜視図である。
【図４】本発明の実施の形態１に係るアタッチメントがカップ部の開口部に連結されていない状態の計量カップを示す正面図である。
【図５】本発明の実施の形態１に係るアタッチメントがカップ部の開口部に連結されていない状態の計量カップを示す斜視図である。
【図６】本発明の実施の形態１に係るアタッチメントがカップ部の開口部に連結されていない状態の計量カップを示す一部を切除した斜視図である。
【図７】本発明の実施の形態１に係るアタッチメントがカップ部の開口部に連結されていない状態の計量カップを示す説明図である。
【図８】本発明の実施の形態２に係るアタッチメントがカップ部の第１の固定部に固定された状態の計量カップを示す斜視図である。
【図９】本発明の実施の形態２に係る計量カップの一部を拡大して示す拡大図である。
【発明を実施するための形態】
【００１１】
以下に、本発明に係る計量カップの実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１は、本発明の実施の形態１に係るアタッチメント２がカップ部１の開口部１ａに連結された状態の計量カップ１００を示す正面図である。図２は、本発明の実施の形態１に係るアタッチメント２がカップ部１の開口部１ａに連結された状態の計量カップ１００を示す斜視図である。図３は、本発明の実施の形態１に係るアタッチメント２がカップ部１の開口部１ａに連結された状態の計量カップ１００を示す一部を切除した斜視図である。図４は、本発明の実施の形態１に係るアタッチメント２がカップ部１の開口部１ａに連結されていない状態の計量カップ１００を示す正面図である。図５は、本発明の実施の形態１に係るアタッチメント２がカップ部１の開口部１ａに連結されていない状態の計量カップ１００を示す斜視図である。図６は、本発明の実施の形態１に係るアタッチメント２がカップ部１の開口部１ａに連結されていない状態の計量カップ１００を示す一部を切除した斜視図である。図７は、本発明の実施の形態１に係るアタッチメント２がカップ部１の開口部１ａに連結されていない状態の計量カップ１００を示す説明図である。
【００１３】
図１〜図７に示すように、計量カップ１００は、カップ部１と、アタッチメント２と、を備える。
【００１４】
カップ部１は、上方に開口部１ａと下方に底部１ｂを備え、０．５合の容量を有する有底円筒状のカップである。カップ部１は、熱可塑性の有色樹脂で構成される。カップ部１は、上方である開口部１ａ側の断面積が、下方である底部１ｂ側の断面積よりも大きくなる形状である。カップ部１の外周面の上方である開口部１ａ側には、カップ部１の容量である０．５合を表す「０．５カップ」の第１の表示部３を有する。なお、実施の形態における上方は本発明における一方および開口部側に相当し、下方は本発明における他方および底部側に相当する。
【００１５】
アタッチメント２は、カップ部１の開口部１ａに連結されるとカップ部１と一体で１合の容量を有する円筒状の部材である。アタッチメント２は、熱可塑性の有色樹脂で構成される。アタッチメント２は、カップ部１の外周面に沿って上方または下方に移動可能であり、アタッチメント２の外周面の上部には、アタッチメント２がカップ部１の開口部１ａと連結された状態の計量カップ１００の容量である１合を表す「１カップ」の第２の表示部４を有する。アタッチメント２は、下端部に曲面部２ａを有し、曲面部２ａの断面積は、曲面部２ａより上方に位置する部分の断面積よりも小さい。
【００１６】
図１〜図３に示すように、アタッチメント２が上方に移動してカップ部１の開口部１ａに連結された位置では、カップ部１およびアタッチメント２で米をすくうことができ、計量カップ１００の容量が１合となるため、ユーザは精米した米をすくい、アタッチメント２の上端に合わせて平らに均しすりきり１杯の状態にすることで、容易に精米した米を１合分計量できる。
【００１７】
図４〜図７に示すように、アタッチメント２が下方にスライドしてカップ部１に重なり開口部１ａに連結されていない位置では、カップ部１のみで米をすくうことができ、計量カップ１００の容量が０．５合となるため、ユーザは精米した米をすくい、カップ部１の上端に合わせて平らに均しすりきり１杯の状態にすることで、容易に精米した米を０．５合分計量できる。
【００１８】
図４〜図７に示すように、カップ部１の全高は、アタッチメント２の全高よりも高い。このため、図４に示すように、アタッチメント２が下方に移動してカップ部１に重なった位置では、カップ部１の第１の表示部３がアタッチメント２に覆われず、アタッチメント２よりも上側に表れる。
【００１９】
図７に示すように、アタッチメント２が下方に移動してカップ部１に重なった位置では、アタッチメント２の下側部とカップ部１の下側部との間に隙間５が形成される。これにより、ユーザがカップ部１に米の保管容器から精米した米をすくった際に、アタッチメント２とカップ部１との間の隙間に米粒が入り込んでも、下側部の大きな隙間５から隙間に入り込んだ米粒が落下する。このため、ユーザは正確にカップ部１の容量である０．５合の精米した米を計量できる。なお、隙間５は、少なくとも米の長辺以上、望ましくは米の長辺の１．５倍以上の間隔が開いていれば良く、日本で主流のジャポニカ米の長辺は約５ｍｍ程度であるので、実施の形態１における隙間５は少なくとも５ｍｍ以上の間隔が開いている。
【００２０】
図１〜図６に示すように、カップ部１は、カップ部１の下面から径方向外向きに突出したストッパ６を有する。ストッパ６は、カップ部１の周囲に４つ等配される。ストッパ６は、アタッチメント２の下端部が突き当たる上面を有する。
図４に示すように、アタッチメント２が下方に移動してカップ部１に重なった位置では、アタッチメント２の下端部がストッパ６に突き当たる。これにより、それ以上アタッチメント２が下方に移動してカップ部１から外れてしまうことを防止する。
【００２１】
図１〜図６に示すように、カップ部１は、外周面にストッパ６の上面から上方に延出された線条のリブ７を有する。４つのリブ７は、４つのストッパ６からそれぞれ設けられる。リブ７は、ストッパ６よりも径方向外向きに突出しない側方の高さである。
リブ７は、アタッチメント２が下方に移動してカップ部１に重なった時に、アタッチメント２がカップ部１から偏ってストッパ６を乗り越えてしまうことを防止する。リブ７が設けられることで、アタッチメント２が下方に移動してカップ部１に重なった時に、アタッチメント２の内周面がリブ７に接触し、アタッチメント２がカップ部１から大幅に偏らずに芯ずれ量が低減し、アタッチメント２がストッパ６に当接する。
【００２２】
図１、図４に示すように、カップ部１には、アタッチメント２を固定する固定部８が設けられる。固定部８がアタッチメント２を固定する位置は、計量カップ１００の容量が１合となる位置であり、固定部８でアタッチメント２が固定される状態になることで、アタッチメント２は開口部１ａに連結された状態になる。固定部８は、４つのリブ７上にそれぞれ設けられた突起であり、カップ部１の外周面に４箇所設けられている。
【００２３】
図４に示すようなアタッチメント２の下端部がストッパ６に突き当たる状態から、アタッチメント２を上方に移動させると、アタッチメント２の下方の曲面部２ａが固定部８に突き当たる。この状態から、カップ部１またはアタッチメント２を弾性変形させることで、アタッチメント２の曲面部２ａが固定部８を乗り越え、更にアタッチメント２を上方に移動させることができる。アタッチメント２の下端部が固定部８を乗り越えると、カップ部１またはアタッチメント２の弾性変形が戻り、図１に示すようにアタッチメント２の下端部が固定部８と突き当たり、アタッチメント２は固定され、アタッチメント２は開口部１ａに連結された状態になる。また、アタッチメント２がカップ部１の開口部１ａに連結された状態では、カップ部１の上方の開口部１ａの外周面とアタッチメント２の下方の曲面部２ａの内周面とが嵌め合ってもいる。また、図１に示すように、アタッチメント２は開口部１ａに連結された状態ではアタッチメント２は第１の表示部３の一部を覆っている。さらに、アタッチメント２が開口部１ａに連結された状態から、カップ部１またはアタッチメント２を弾性変形させてアタッチメント２を下方に移動させることで、アタッチメント２の下端部が固定部８を乗り越え、固定部８によるアタッチメント２の固定が解除され、アタッチメント２が開口部１ａに連結されない状態になる。
【００２４】
以上の構成の計量カップ１００によると、アタッチメント２が上方に移動してカップ部１の開口部１ａに連結された場合には、ユーザが計量カップ１００で米の保管容器から精米した米をすくった際に、精米した米１合をすりきり１杯で計量できる。
【００２５】
また、アタッチメント２が下方に移動してカップ部１の開口部１ａと連結されていない場合には、ユーザがカップ部１の上下端を把持して計量カップ１００で米の保管容器から精米した米をすくった際に、カップ部１の容量分すくうことができるため、精米した米０．５合をすりきり１杯で計量できる。このとき、アタッチメント２とカップ部１との間の隙間に米粒が入り込んでも、下側部の大きな隙間５から隙間に入り込んだ米粒が落下する。そのため、カップ部１とアタッチメント２との間に入り込んだ米粒は隙間に留まることがなく、カップ部１にて０．５合の精米した米を正確に計量することができる。
【００２６】
実施の形態２．
実施の形態２では、第１の固定部８ａと第２の固定部８ｂを有する。その他の構成は、上記実施の形態１と同様であるので、その特徴部のみ説明する。
図８は、本発明の実施の形態２に係るアタッチメント２がカップ部１の第１の固定部８ａに固定された状態の計量カップ１００を示す斜視図である。図９は、本発明の実施の形態２に係る計量カップ１００の一部を拡大して示す拡大図である。
【００２７】
図８、図９に示すように、実施の形態２のカップ部１の固定部８は第１の固定部８ａと第２の固定部８ｂとを備えている。第２の固定部８ｂは第１の固定部８ａよりも下方に位置している。第１の固定部８ａと第２の固定部８ｂとの２つの固定部８が設けられることで、カップ部１の開口部１ａとアタッチメント２が連結された状態では、アタッチメント２が第１の固定部８ａで固定された状態と、第２の固定部８ｂで固定された状態の２つの状態が存在する。アタッチメント２が第１の固定部８ａで固定された状態では計量カップ１００の容量は１合となる。第２の固定部８ｂは第１の固定部８ａよりも下方に位置するため、アタッチメント２が第１の固定部８ａで固定された状態では計量カップ１００の容量は１合よりも少ない容量であり、例えば約１７５ｍｌとする。また、第１の固定部８ａと第２の固定部８ｂとは、４つのリブ７上に設けられ、カップ部１にそれぞれ４箇所ずつ設けられている。
【００２８】
図８に示すように、アタッチメント２が第１の固定部８ａで固定された状態では、カップ部１に形成された突起状の第１の固定部８ａがアタッチメント２の下端部に対して突き当たり、アタッチメント２が固定される。また、アタッチメント２が第１の固定部８ａで固定された状態で、カップ部１およびアタッチメント２を弾性変形させ、アタッチメント２を下方に移動させると、カップ部１に形成された突起状の第２の固定部８ｂがアタッチメント２の下端部に対して突き当たり、アタッチメント２が第２の固定部８ｂで固定された状態になる。
【００２９】
ところで、無洗米は米を研がずにそのまま炊けるようになっている米のことである。無洗米は、米を研がずに炊けるようにするため、糠がほぼ取り除かれている。対して普通に精米した米はまだ糠が残っているため、糠を取り除くため米を研ぐ必要がある。このように無洗米は糠が取り除かれている分、精米した米に比べ米の大きさが小さくなっている。そのため、精米した米１合が量れる状態の計量カップで、無洗米をすりきり１杯にすると、精米した米よりも多く無洗米が入ってしまう。このため、無洗米を計量する時は、１合よりも小さな容量（約１７５ｍｌ）の無洗米用の計量カップを用いられていることが多い。しかし、普通に精米した米を用いるか無洗米を用いるかはユーザが決定することであるため、従来の炊飯器には普通に精米した米用の計量カップと無洗米用の計量カップの両方を付属させる必要がある。しかし、実施の形態２の計量カップ１００において、アタッチメント２が第１の固定部８ａで固定された状態の容量を従来の普通の精米した米用の計量カップと同じ１合とし、アタッチメント２が第２の固定部８ｂで固定された状態の容量を従来の無洗米用の計量カップと同じ１合よりも小さな容量であるため、１つの計量カップ１００で普通に精米した米の計量と、無洗米の計量を行うことができる。
【００３０】
以上説明した実施の形態１、２の計量カップ１００によれば、０．５合の容量を有するカップ部１と、カップ部１の開口部１ａに連結されるとカップ部１と一体で１合の容量を有する円筒状のアタッチメント２と、を備える。これにより、開口部１ａにアタッチメント２が連結されていない状態では０．５合の米を正確に計量することができ、開口部１ａにアタッチメント２が連結された状態では１合の米を正確に計量することができる。
また、実施の形態１、２の計量カップ１００では、従来のように０．５合の容量の計量カップと、１合の容量の計量カップと、を使い分ける必要がない。
【００３１】
カップ部１は、アタッチメント２がカップ部１の外周面に沿って、カップ部１の開口部１ａ側と底部１ｂ側にそれぞれ移動可能であり、アタッチメント２が開口部１ａ側に移動すると固定部８にアタッチメント２が固定され、開口部１ａにアタッチメント２が連結される。この構成によれば、カップ部１とアタッチメント２を一体化させることができ、アタッチメント２の紛失を防止できる。また、使用しないときはカップ部１にアタッチメント２を重ねた状態で収納でき、収納スペースが小さくて済む。
【００３２】
また、開口部１ａにアタッチメント２が連結されていない状態では、アタッチメント２の下側部とカップ部１の下側部との間に隙間５が形成される。この構成によれば、カップ部１とアタッチメント２との間に入り込んだ米粒は隙間５に留まることがなく、カップ部１にて０．５合の米をより正確に計量することができる。
【００３３】
また、カップ部１の全高は、アタッチメント２の全高よりも高い。この構成によれば、アタッチメント２が下方に移動させて開口部１ａにアタッチメント２が連結されていない状態では、ユーザがカップ部１の上下端を把持することができ、固定されていないアタッチメント２を把持せずに安定して計量カップ１００を扱うことができる。
【００３４】
また、カップ部１の外周面には外周面より突出したストッパ６を備えており、アタッチメント２を下方に移動させると、アタッチメント２の下端部がストッパ６に突き当たる。この構成によれば、それ以上アタッチメント２が下方にスライドしてカップ部１から抜けることを防止することができる。
【００３５】
また、カップ部１は、外周面にストッパ６の位置から上方に延出されたリブ７を有する。この構成によれば、アタッチメント２が下方に移動させ、開口部１ａにアタッチメント２が連結されていない状態では、アタッチメント２の内周面がリブ７に接触し、アタッチメント２がカップ部１から大幅に偏らずに芯ずれ量が低減し、アタッチメント２がストッパ６を乗り越えてしまうことを防止する。
【００３６】
また、アタッチメント２が下方に移動しストッパ６に突き当たる位置では、カップ部１の第１の表示部３がアタッチメント２に覆われていない。この構成によれば、カップ部１の容量を示す第１の表示部３がカップ部１の第１の表示部３が隠れずに視認することができる。さらに、アタッチメント２の外周面には、開口部１ａにアタッチメント２が連結されている状態における容量を示す第２の表示部４を備えており、開口部１ａにアタッチメント２が連結された状態の容量を視認することができる。また、開口部１ａにアタッチメント２が連結されている状態では第１の表示部３の少なくとも一部がアタッチメント２に覆われているため、開口部１ａにアタッチメント２が連結されている状態では第１の表示部３を視認し難くし、計量カップ１００の容量が第２の表示部４の表示容量であることを認識させ易くすることができる。
【００３７】
また、実施の形態２の計量カップ１００は、第１の固定部８ａと、第１の固定部８ａがアタッチメント２を固定する位置よりも底部１ｂ側の位置でアタッチメント２を固定する第２の固定部８ｂと、を備えている。この構成によれば、カップ部１とアタッチメント２との固定位置を切り替えることにより、計量カップ１００の容量を変更することができ、例えば精米した米と、無洗米と、をそれぞれ１つの計量カップ１００で正確に計量することができる。
【００３８】
なお、上記実施の形態では、０．５合の容量を有するカップ部と、開口部に連結されるとカップ部と一体で１合の容量を有する筒状のアタッチメントと、を備えたものであった。しかしこれに限られない。例えば、カップ部は１合の容量を有し、アタッチメントは開口部に連結されるとカップ部と一体で１．５合の容量を有するなど、開口部にアタッチメントが連結された状態ではアタッチメントが連結されていない状態よりも容量が大きい計量カップであれば良い。
【００３９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４０】
１  カップ部、１ａ  開口部、１ｂ  底部、２  アタッチメント、２ａ  曲面部、３  第１の表示部、４  第２の表示部、５  隙間、６  ストッパ、７  リブ、８  固定部、８ａ  第１の固定部、８ｂ  第２の固定部、１００  計量カップ。
【図１】
0006509083.tif 000002
【図２】
0006509083.tif 000003
【図３】
0006509083.tif 000004
【図４】
0006509083.tif 000005
【図５】
0006509083.tif 000006
【図６】
0006509083.tif 000007
【図７】
0006509083.tif 000008
【図８】
0006509083.tif 000009
【図９】
0006509083.tif 000010